(57)【要約】【課題】  コスト及び消費電力の増大を抑えると共にセキュリティ面で比較的安全に装置の設定が変更可能な無線装置を実現する。【解決手段】  無線を使用して設定の変更を行う無線装置において、外部機器との無線通信を行う無線通信手段と、無線装置の設定データが格納される記憶手段と、スイッチと、スイッチの状態により無線装置設定システムからの設定データを無線通信手段を介して受信し、記憶手段に格納する演算制御手段とを備える。【選択図】                    図１
2007142665.tif 000002
【特許請求の範囲】
【請求項１】
無線を使用して設定の変更を行う無線装置において、
外部機器との無線通信を行う無線通信手段と、
前記無線装置の設定データが格納される記憶手段と、
スイッチと、
このスイッチの状態により無線装置設定システムからの前記設定データを前記無線通信手段を介して受信し、前記記憶手段に格納する演算制御手段とを備えたことを特徴とする無線装置。
【請求項２】
無線を使用して設定の変更を行う無線装置において、
外部機器との無線通信を行う無線通信手段と、
前記無線装置の設定データが格納される記憶手段と、
スイッチと、
このスイッチの状態により無線装置設定システムからの前記設定データを前記無線通信手段を介して受信し、前記記憶手段に格納すると共に前記スイッチの状態により前記無線通信手段を受信可能若しくは送信専用に制御する演算制御手段とを備えたことを特徴とする無線装置。
【請求項３】
前記スイッチが、
特定波長の光に反応するフォトダイオードであることを特徴とする
請求項１若しくは請求項２記載の無線装置。
【請求項４】
前記スイッチが、
赤外線に反応する赤外線センサであることを特徴とする
請求項１若しくは請求項２記載の無線装置。
【請求項５】
前記スイッチが、
特定周波数の音に反応する音センサであることを特徴とする
請求項１若しくは請求項２記載の無線装置。
【発明の詳細な説明】
【技術分野】
【０００１】
本発明は、無線を使用して設定の変更を行う無線装置に関し、特にコスト及び消費電力の増大を抑えると共にセキュリティ面で比較的安全に装置の設定が変更可能な無線装置に関する。
【背景技術】
【０００２】
プラントには温度センサや圧力センサなどの各種センサが多数取り付けられており、近年ではこれらセンサの出力を無線を用いて中央のシステムへ送信する試みがされている。通常稼動時にはセンサがデータを送信して中央のシステムが受信する場合が多いが、保守時にセンサの設定変更が発生した時にはセンサが設定データを受信することになる。本発明は、このようなプラントにおけるセンサの保守管理などの用途が１つの適用事例となる。
【０００３】
従来の無線装置に関連する先行技術文献としては次のようなものがある。
【０００４】
【特許文献１】特開２００１−１６０９９２号公報
【０００５】
図２はこのような従来の無線装置の一例を示す構成ブロック図である。図２において１は無線装置設定システム、２はローカルバス、３はローカルバスコネクタ、４はＣＰＵ（Central Processing Unit）等の演算制御手段、５は外部機器との無線通信を行う無線通信手段、６はハードディスク、ＲＯＭ（Read Only Memory）やＲＡＭ（Random Access Memory)、フラッシュメモリ（電気的に書き換え可能なＲＯＭ）等の記憶手段である。
【０００６】
また、ローカルバスコネクタ３、演算制御手段４、無線通信手段５及び記憶手段６は無線装置１００を構成している。
【０００７】
無線装置１００の設定を変更する場合に無線装置設定システム１はローカルバス２を介してローカルバスコネクタ３に接続される。また、ローカルバスコネクタ３は演算制御手段４に接続され、演算制御手段４は無線通信手段５及び記憶手段６にそれぞれ接続される。
【０００８】
ここで、図２に示す従来例の動作を説明する。無線装置１００の設定を変更する場合、設定データが無線装置設定システム１からローカルバス２及びローカルバスコネクタ３を経由して演算制御手段４に入力され、演算制御手段４が記憶手段６に設定データを格納する。記憶手段６に設定データを格納することで無線装置１００の設定が変更される。
【０００９】
無線装置１００の設定は、大きく分けて２つあり、無線の設定とアプリケーションの設定である。無線の設定は使用する周波数や無線装置固有のアドレス情報等である。また、アプリケーションの設定は無線装置１００からデータを送信する時のデータ送信先アドレス情報やデータ送信周期等である。
【００１０】
この結果、無線装置設定システム１と無線装置１００をローカルバス２を使用して有線で接続して無線装置１００の設定変更を行うことにより、セキュリティ面で安全に無線装置１００の設定を変更することが可能になる。
【００１１】
図３は従来の無線装置の他の一例を示す構成ブロック図である。図３において７は無線装置設定システム、８はＣＰＵ等の演算制御手段、９は無線装置設定システム７及び外部機器との無線通信を行う無線通信手段、１０はハードディスク、ＲＯＭやＲＡＭ、フラッシュメモリ等の記憶手段である。
【００１２】
また、演算制御手段８、無線通信手段９及び記憶手段１０は無線装置１０１を構成している。
【００１３】
無線装置１０１の設定を変更する場合に無線装置設定システム７は無線で無線通信手段９に接続される。また、演算制御手段８は無線通信手段９及び記憶手段１０にそれぞれ接続される。
【００１４】
ここで、図３に示す従来例の動作を説明する。無線装置１０１の設定を変更する場合、無線装置設定システム７から設定データが無線で無線通信手段９を介して、演算制御手段８に送信され、演算制御手段８が記憶手段１０に設定データを格納する。記憶手段１０に設定データを格納することで無線装置１０１の設定が変更される。
【００１５】
無線装置１０１の設定は、大きく分けて２つあり、無線の設定とアプリケーションの設定である。無線の設定は使用する周波数や無線装置固有のアドレス情報等である。また、アプリケーションの設定は無線装置１０１からデータを送信する時のデータ送信先アドレス情報やデータ送信周期等である。
【００１６】
この結果、無線通信を用いて無線装置１０１の設定変更を行うことにより、無線装置１０１が離れた場所に設置されている場合も無線により接続するので、容易に設定を変更することが可能になる。
【発明の開示】
【発明が解決しようとする課題】
【００１７】
しかし、図２に示す従来例では、無線装置の設定変更のためだけにローカルバスコネクタを用意するので、コスト高、消費電力の増大及び装置自体が大きくなるという問題点があった。
【００１８】
また、図３に示す従来例では、無線装置設定システムと無線装置を無線で接続するためセキュリティ面で十分配慮する必要がある。これを実現するために各種暗号手法や認証手段を無線装置に組み込む必要があるが、一般的に暗号化及び複号化処理には非常に高い処理能力が要求され、認証にも複雑な手順が必要となる。
【００１９】
しかし、消費電力を抑えるために処理能力の低いハードウェアで構成されている無線装置にこの各種暗号手法を組み込むのは処理能力の面で難しいという問題点があった。
【００２０】
従って本発明が解決しようとする課題は、コスト及び消費電力の増大を抑えると共にセキュリティ面で比較的安全に装置の設定が変更可能な無線装置を実現することにある。
【課題を解決するための手段】
【００２１】
このような課題を達成するために、本発明のうち請求項１記載の発明は、
無線を使用して設定の変更を行う無線装置において、
外部機器との無線通信を行う無線通信手段と、前記無線装置の設定データが格納される記憶手段と、スイッチと、このスイッチの状態により無線装置設定システムからの前記設定データを前記無線通信手段を介して受信し、前記記憶手段に格納する演算制御手段とを備えたことにより、コスト及び消費電力の増大を抑えると共にセキュリティ面で比較的安全に装置の設定が変更可能になる。
【００２２】
請求項２記載の発明は、
無線を使用して設定の変更を行う無線装置において、
外部機器との無線通信を行う無線通信手段と、前記無線装置の設定データが格納される記憶手段と、スイッチと、このスイッチの状態により無線装置設定システムからの前記設定データを前記無線通信手段を介して受信し、前記記憶手段に格納すると共に前記スイッチの状態により前記無線通信手段を受信可能若しくは送信専用に制御する演算制御手段とを備えたことにより、コスト及び消費電力の増大を抑えると共にセキュリティ面で比較的安全に装置の設定が変更可能になる。
【００２３】
請求項３記載の発明は、
請求項１若しくは請求項２記載の発明である無線装置において、
前記スイッチが、
特定波長の光に反応するフォトダイオードであることにより、コスト及び消費電力の増大を抑えると共にセキュリティ面で比較的安全に装置の設定が変更可能になる。
【００２４】
請求項４記載の発明は、
請求項１若しくは請求項２記載の発明である無線装置において、
前記スイッチが、
赤外線に反応する赤外線センサであることにより、コスト及び消費電力の増大を抑えると共にセキュリティ面で比較的安全に装置の設定が変更可能になる。
【００２５】
請求項５記載の発明は、
請求項１若しくは請求項２記載の発明である無線装置において、
前記スイッチが、
特定周波数の音に反応する音センサであることにより、コスト及び消費電力の増大を抑えると共にセキュリティ面で比較的安全に装置の設定が変更可能になる。
【発明の効果】
【００２６】
本発明によれば次のような効果がある。
請求項１の発明によれば、スイッチの状態により演算制御手段が無線装置設定システムから設定データを受信することにより、無線装置のコスト及び消費電力の増大を抑えると共にセキュリティ面では比較的安全に無線装置の設定の変更を行うことが可能になる。
【００２７】
請求項２の発明によれば、スイッチの状態により受信可能若しくは送信専用にすることで、コスト及び消費電力の増大を抑えると共にセキュリティ面では比較的安全に無線装置の設定の変更を行うことが可能になる。さらに、送信専用時は受信回路が使用されないので、無線装置の消費電力のさらなる低減が可能になる。
【００２８】
請求項３の発明によれば、スイッチの代わりにフォトダイオードを使用することにより、コスト及び消費電力の増大を抑えると共にセキュリティ面では比較的安全に無線装置の設定の変更を行うことが可能になる。さらに、無線装置が離れた場所に設置されている場合でも光が届く範囲であれば、設定の変更を行うことが可能になる。
【００２９】
請求項４の発明によれば、スイッチの代わりに赤外線センサを使用することにより、コスト及び消費電力の増大を抑えると共にセキュリティ面では比較的安全に無線装置の設定の変更を行うことが可能になる。さらに、無線装置が離れた場所に設置されている場合でも光が届く範囲であれば、設定の変更を行うことが可能になる。
【００３０】
請求項５の発明によれば、スイッチの代わりに音センサを使用することにより、コスト及び消費電力の増大を抑えると共にセキュリティ面では比較的安全に無線装置の設定の変更を行うことが可能になる。さらに、無線装置が離れた場所に設置されている場合でも光が届く範囲であれば、設定の変更を行うことが可能になる。
【発明を実施するための最良の形態】
【００３１】
以下本発明を図面を用いて詳細に説明する。図１は本発明に係る無線装置の一実施例を示す構成ブロック図である。
【００３２】
図１において１１は無線装置設定システム、１２はトグルスイッチ、スライドスイッチ及びプッシュスイッチ等のスイッチ、１３はＣＰＵ等の演算制御手段、１４は無線装置設定システム１１及び外部機器との通信を行う無線通信手段、１５はハードディスク、ＲＯＭやＲＡＭ、フラッシュメモリ等の記憶手段である。
【００３３】
また、スイッチ１２、演算制御手段１３、無線通信手段１４及び記憶手段１５は無線装置１０２を構成している。
【００３４】
無線装置１０２の設定を変更する場合に無線装置設定システム１１は無線で無線通信手段１４に接続される。また、スイッチ１２は演算制御手段１３に接続され、演算制御手段１３は無線通信手段１４及び記憶手段１５にそれぞれ接続される。
【００３５】
ここで、図１に示す実施例の動作を説明する。無線装置１０２の設定を変更する場合、まずスイッチ１２を”ＯＮ”に設定する。スイッチ１２の状態が”ＯＮ”である場合、演算制御手段１３は無線装置１０２の設定変更が可能であると認識する。
【００３６】
そして、無線通信手段１４はスイッチ１２の設定にかかわらず常時送受信できる状態になっているので、演算制御手段１３は無線装置設定システム１１からの設定データを無線通信手段１４を介して受信し、演算制御手段１３は記憶手段１５に受信した設定データを格納する。記憶手段１５に設定データを格納することで無線装置１０２の設定が変更される。
【００３７】
また、無線装置１０２の設定は、大きく分けて２つあり、無線の設定とアプリケーションの設定である。無線の設定は使用する周波数や無線装置固有のアドレス情報等である。また、アプリケーションの設定は無線装置１０２からデータを送信する時のデータ送信先アドレス情報やデータ送信周期等である。
【００３８】
最後に、スイッチ１２を”ＯＦＦ”に設定する。スイッチ１２の状態が”ＯＦＦ”である場合、演算制御手段１３は無線装置１０２の設定変更を行わないことを認識する。
【００３９】
この結果、スイッチ１２の状態が”ＯＮ”である場合に演算制御手段１３が無線装置設定システム１１から設定データを受信することにより、無線装置のコスト及び消費電力の増大を抑えることが可能になる。
【００４０】
また、スイッチ１２の状態が”ＯＮ”である間のみ無線装置の設定の変更を行うのでセキュリティ面では比較的安全に無線装置の設定の変更を行うことが可能になる。
【００４１】
なお、図１に示す実施例では、無線通信手段１４は常時送受信が行えるようになっているが、スイッチ１２の状態が”ＯＮ”の時は受信可能で、スイッチ１２の状態が”ＯＦＦ”の時は送信専用としてもよい。
【００４２】
この結果、スイッチ１２の状態が”ＯＮ”の時は受信可能で、スイッチ１２の状態が”ＯＦＦ”の時は送信専用にすることにより、コスト及び消費電力の増大を抑えると共にセキュリティ面では比較的安全に無線装置の設定の変更を行うことが可能になる。さらに、スイッチが”ＯＦＦ”している時は受信回路が使用されないので、無線装置の消費電力のさらなる低減が可能になる。
【００４３】
また、図１に示す実施例では、スイッチ１２の状態が”ＯＮ”の時に演算制御手段１３が無線装置１０２の設定を変更可能としているが、スイッチ１２の状態が”ＯＦＦ”の時に演算制御手段１３が無線装置１０２の設定を変更可能としてもよい。
【００４４】
同様に、無線通信手段１４はスイッチ１２の状態が”ＯＮ”の時は受信可能で、スイッチ１２の状態が”ＯＦＦ”の時は送信専用としているが、スイッチ１２の状態が”ＯＦＦ”の時は受信可能で、スイッチ１２の状態が”ＯＮ”の時は送信専用としてもよい。
【００４５】
また、図１に示す実施例では、無線装置の設定変更の可否にスイッチを用いているが、必ずしもスイッチである必要はなく、特定の波長にのみ反応するフォトダイオードを使用してもよい。
【００４６】
この場合、例えば、フォトダイオードが反応する波長の光を受光している間は無線装置の設定変更を可能とすることにより、スイッチと同様の作用を奏することになる。具体的には、無線装置が人の手の届かないような高い所や人が入るには危険な所に設置されている場合、離れた所から人がフォトダイオードに光を当て、設定を変更することが可能になる。
【００４７】
同様に、スイッチの代わりに赤外線センサを用いて赤外線を受光している間は無線装置の設定変更を可能とすることにより、スイッチと同様の作用を奏することになる。具体的には、無線装置が人の手の届かないような高い所や人が入るには危険な所に設置されている場合、離れた所から人が赤外線センサに赤外線を当て、設定を変更することが可能になる。
【００４８】
また、スイッチの代わりに特定周波数の音に反応する音センサを用いて特定周波数の音を検出している間は無線装置の設定変更を可能とすることにより、スイッチと同様の作用を奏することになる。具体的には、無線装置が人の手の届かないような高い所や人が入るには危険な所に設置され、光が通りにくい場合、離れた所から人が音センサに特定周波数の音を発し、設定を変更することが可能になる。
【００４９】
また、スイッチの代わりに振動に反応する加速度センサを用いて振動を検出していない間は無線装置の設定変更を可能とすることにより、スイッチと同様の作用を奏することになる。具体的には、稼動時には振動している空調設備等に無線装置が設置されている場合、空調設備等が停止し、振動を検出しなくなると設定を変更することが可能になる。
【００５０】
この結果、スイッチの代わりにフォトダイオード、赤外線センサ、音センサ、若しくは、加速度センサを使用することにより、コスト及び消費電力の増大を抑えると共にセキュリティ面では比較的安全に無線装置の設定の変更を行うことが可能になる。さらに、無線装置が離れた場所に設置されている場合でも光が届く範囲であれば、設定の変更を行うことが可能になる。
【図面の簡単な説明】
【００５１】
【図１】本発明に係る無線装置の一実施例を示す構成ブロック図である。
【図２】従来の無線装置の一例を示す構成ブロック図である。
【図３】従来の無線装置の他の一例を示す構成ブロック図である。
【符号の説明】
【００５２】
１，７，１１  無線装置設定システム
２  ローカルバス
３  ローカルバスコネクタ
４，８，１３  演算制御手段
５，９，１４  無線通信手段
６，１０，１５  記憶手段
１２  スイッチ
１００，１０１，１０２  無線装置
【図１】
2007142665.tif 000003
【図２】
2007142665.tif 000004
【図３】
2007142665.tif 000005